(57)【要約】【課題】長い髪の毛を有する子供が、髪の毛を挟まないように構成するランドセルの背環を提供すること。【解決手段】ランドセルの背環１２は、肩ベルト５の一端を連結する揺動可能な一対の揺動板１４を備えている。揺動板１４を軸１８に支持するとともに、スプリング１９により中央壁１３４に向かって付勢するように配置する。中央壁１３４には、揺動板１４側に向かって突出部１３６を形成し、揺動板１４の戻りストッパとして配置する。子供が背負っているランドセルを外すと、揺動板１４はスプリング１９の付勢力で中央壁１３４側に揺動して突出部１３６に当接する。これによって、一対の揺動板１４はＶ字状を形成して、中央壁１３４との間に隙間を形成することができる。【選択図】図２
0003107268.tif 000002
【実用新案登録請求の範囲】
【請求項１】
ランドセルの背あて部の上部に配置されて肩ベルトの一端を支持する一対の揺動板を備えたランドセルの背環であって、
前記一対の揺動板は、前記背環の中央部に配設された中央壁を間にして、前記肩ベルトの装着側と反対側の端部において揺動可能に支持されるとともに、それぞれお互いに接近する方向と離隔する方向とに揺動可能に配置され、
前記一対の揺動板がお互いに接近する際に、各揺動板の端面と前記中央壁部との間に隙間を形成するためのストッパ手段を配設することを特徴とするランドセルの背環。
【請求項２】
前記ストッパ手段が、前記中央壁から一体的に突出して形成される突出部であることを特徴とする請求項１記載のランドセルの背環。
【請求項３】
前記ストッパ手段が、前記揺動板側に形成される先端部を、軸方向に位置調整可能に形成されていることを特徴とする請求項１記載のランドセルの背環。
【請求項４】
前記揺動板側の先端部位を位置調整する調整手段が、前記背環に支持されるネジ部材と、前記ネジ部材と螺合する回転板で構成されていることを特徴とする請求項３記載のランドセルの背環。
【請求項５】
前記回転板が、前記背環の表面側から操作可能に配置されていることを特徴とする請求項４記載のランドセルの背環。
【請求項６】
前記ネジ部材と前記揺動板との間に、前記中央壁の下部に軸支された押圧板が介在されていることを特徴とする請求項４又は５記載のランドセルの背環。
【請求項７】
前記ストッパ手段が、前記中央壁に一端が支持されるコイルばねを備えていることを特徴とする請求項１記載のランドセルの背環。
【考案の詳細な説明】
【技術分野】
【０００１】
本考案は、ランドセルの背あて部の上部に配置される背環に関し、さらに、肩ベルトの一端を支持する揺動板を備えたランドセルの背環に関する。
【背景技術】
【０００２】
通常、ランドセルには、背あて部側の上部に背環が配置され、背環に、一端を係止した肩ベルトが装着されている。詳細に言えば、図９に示すように、背環４２の上部には、それぞれ揺動可能に構成された一対の揺動板４４、４４が配置されている。それぞれの揺動板４４、４４には三角状の連結環４５、４５が装着され、連結環４５、４５に肩ベルト４６、４６の一端が係止されている。（特許文献１）
一対の揺動板４４、４４は、子供がランドセルを背負う際に、子供の成長に合わせて一対の肩ベルト４６、４６を広げることができるように揺動可能に構成されている。そのため、揺動板４４は、背環４２の下部に軸支され、上部が背環４２の中央部に形成された中央壁４２１に対して接近・離隔する方向に揺動可能に配置されている。それぞれの揺動板４４、４４の外側には屈曲状のばね部材４７、４７が背環４２のリブに掛止して配置され、揺動板４４、４４を中央壁４２１、４２１側に接近する方向に付勢している。従って、ランドセルを背負わない状態では、一対の揺動板４４、４４は中央壁４２１、４２１に当接して配置されている。
【特許文献１】登録実用新案第３０９４６２０号公報（４〜７頁、図２参照）
【考案の開示】
【考案が解決しようとする課題】
【０００３】
しかし、ランドセルを背負う子供が、長い髪の毛を有している場合、髪の毛が、背環４２の揺動板４４と中央壁４２１との間に挟まってしまうことがある。つまり、背環４２はランドセルの背あて部の上部位置にあり、背負う子供の後頭部の下、髪の毛付近に配置されていることになる。一方、背環４２の上部には揺動板４４がばね部材４７で中央壁４２１側に付勢されていることから、流れた髪の毛を揺動板４４と中央壁４２１とで挟みやすい。
【課題を解決するための手段】
【０００４】
本考案は、上述の課題を解決するものであり、髪の毛を挟みにくいように構成するランドセルの背環を提供することを目的とするものであり、そのために本考案に係るランドセルの背環は、以下のように構成するものである。すなわち、
請求項１記載の考案では、ランドセルの背あて部の上部に配置されて肩ベルトの一端を支持する一対の揺動板を備えたランドセルの背環であって、
前記一対の揺動板は、前記背環の中央部に配設された中央壁を間にして、前記肩ベルトの装着側と反対側の端部において揺動可能に支持されるとともに、それぞれお互いに接近する方向と離隔する方向とに揺動可能に配置され、
前記一対の揺動板がお互いに接近する際に、各揺動板の端面と前記中央壁部との間に隙間を形成するためのストッパ手段を配設することを特徴とするものである。
【０００５】
請求項２記載の考案では、前記ストッパ手段が、前記中央壁から一体的に突出して形成される突出部であることを特徴としている。
【０００６】
請求項３記載の考案では、前記ストッパ手段が、前記揺動板側に形成される先端部を、軸方向に位置調整可能に形成されていることを特徴としている。
【０００７】
請求項４記載の考案では、前記揺動板側の先端部位を位置調整する調整手段が、前記背環に支持されるネジ部材と、前記ネジ部材と螺合する回転板で構成されていることを特徴としている。
【０００８】
請求項５記載の考案では、前記回転板が、前記背環の表面側から操作可能に配置されていることを特徴としている。
【０００９】
請求項６記載の考案では、前記ネジ部材と前記揺動板との間に、前記中央壁の下部に軸支された押圧板が介在されていることを特徴としている。
【００１０】
請求項７記載の考案では、前記ストッパ手段が、前記中央壁に一端が支持されるコイルばねを備えていることを特徴としている。
【考案の効果】
【００１１】
本考案に係るランドセルの背環では、請求項１記載の考案によれば、背環は、背あて部の上部に配置されていることから、子供の髪の毛が長く垂れ下がっていれば、背環の上部にかかることになる。一方、背環の上部には、肩ベルトの一端を連結する揺動板が一対配置されている。一対の揺動板は、子供の成長に合わせて上部を適宜広げるように構成するため、下部を中心にして上部を揺動可能に装着している。この際、背環の中央壁には、一対の揺動板との間に隙間を形成するためのストッパ手段が設けられていることから、揺動板の中央壁側端面と中央壁との間には、自然状態において隙間を有していることとなる。従って、子供の髪の毛が垂れ下がってきても、揺動板と中央壁で挟み込むことがなくなり、子供に痛い思いをさせることがない。
【００１２】
請求項２記載の考案によれば、請求項１記載のストッパ手段が中央壁から揺動板側に一体的に突出した突出部として形成されていることから、揺動板が中央壁側に移動しても、突出部が揺動板の揺動ストッパとなることとなって、中央壁との間に隙間を形成することができる。従って子供の髪の毛を挟みにくいことから、子供は安心して本願考案のランドセルを使用することができる。また、中央壁と一体的に形成されている突出部は製造コストが廉価にできる。
【００１３】
請求項３乃至５記載の考案によれば、請求項１記載のストッパ手段が、ネジ部材を回転板で操作することによって、揺動板の中央壁への最接近位置を調整できるように構成されている。そのため子供の肩幅に合わせて位置調整すれば、髪の毛が背環の上部に垂れ下がっても、髪の毛を揺動板で挟むことがないことから子供に痛い思いをさせずに済むこととなる。
【００１４】
請求項６記載の考案によれば、揺動板とネジ部材との間に中央壁の下部に軸支された押圧板を介在することによって、揺動板との当接の際、点接触でなく面接触で当接できることから、揺動板の損傷を少なくすることができる。
【００１５】
請求項７記載の考案によれば、揺動板の接近の際におけるストッパ手段は、中央壁に支持されたコイルばねを配置することによっても可能となる。つまり、揺動板の中央壁側端面に当接可能に、コイルばねを配置させておけば、揺動板が中央壁に接近しても、中央壁と揺動板との間に隙間を設けることができ、やはり、髪の毛を揺動板で挟むことがないことから子供に痛い思いをさせずに済むこととなる。
【考案を実施するための最良の形態】
【００１６】
本考案による一形態のランドセルの背環を図面に基づいて説明する。
【００１７】
図１に示すように、ランドセル１は、ランドセル本体１０と一対の肩ベルト５、５を有して構成されている。ランドセル本体１０の背あて部１１の上部には、背環１２が配置され、一対の肩ベルト５、５の一端が装着されている。
【００１８】
背環１２は、図２に示すように、上部に一対の開口部１３１、１３１を有し中空状に形成された背環本体１３と、背環本体１３の各開口部１３１、１３１から各中空部１３５、１３５に挿入して配置される一対の揺動板１４、１４と、揺動板１４、１４の上部に係止される三角状の連結杆１５、１５と、一対の中空部１３５、１３５間に装着される吊下環１６とを備えて構成されている。
【００１９】
背環本体１３は、上部開口部１３１、１３１を除く背環本体１３の外周縁部に形成される外周壁１３２と、吊下環１６の挿入する中空部１３３の周りに形成される一対の中央壁１３４、１３４とを有している。外周壁１３２とそれぞれの中央壁１３４との間にそれぞれ揺動板１４、１４を挿入する中空部１３５、１３５が形成されている。
【００２０】
各中空部１３５、１３５には開口部１３１、１３１から挿入された揺動板１４、１４を回動可能に支承する軸１８、１８が配置されている。また、揺動板１４、１４を中央壁１３４、１３４側に付勢するスプリング１９、１９が外周壁１３２に一端を支持されて配置されている。
【００２１】
各中央壁１３４、１３４の一部には、各揺動板１４、１４の中央壁１３４、１３４への最接近時において、ストッパ手段として、各揺動板１４、１４と各中央壁１３４、１３４との間で隙間を形成するために、各揺動板１４を傾斜させるように構成している。
【００２２】
第１の形態のストッパ手段においては、図２に示すように、各中央壁１３４、１３４から各中空部１３５、１３５に向かって一体的に突出する突出部１３６、１３６を形成している。この突出部１３６、１３６は、各揺動板１４、１４の戻り側ストッパとして形成されている。なお、上記の突出部１３６は、揺動板１４の戻り側ストッパとなる位置であれば、中央壁１３５のどの位置でも形成できるが、子供の髪の毛が揺動板１４との間で挟みにくい位置（中央壁１３４の上部から離れた位置）に形成することが望ましい。また、突出部１３６の先端部は、できるだけ円弧状に形成することが望ましい。
【００２３】
次に、上記のように第１のストッパ手段を用いて構成されたランドセル１の背環１２の作用について説明する。なお、以下の説明では、図２における左半分（一対の揺動板１４、１４のうち、一方の揺動板１４）について説明する。
【００２４】
ランドセル１を背負わない自然状態では、背環１２の揺動板１４は、背環１２内に配置されているスプリング１９の付勢力によって、揺動板１４の端面と中央壁１３４から突出された突出部１３６とが当接されている状態にある。
【００２５】
成長した子供がランドセル１を背負うと、肩ベルト５に連結する揺動板１４は、スプリング１９の付勢力に抗して、軸１８を中心に中央壁１３４から離れる方向に揺動し一対の揺動板１４、１４でＶ字形を形成する。そして、子供が背負ったランドセル１を外すことによって、スプリング１９の付勢力で、揺動板１４は中央壁１３４側に戻る。この際、揺動板１４は中央壁１３４の突出部１３６先端に当接することから、揺動板１４の端面と中央壁１３４の上部との間に隙間が形成されることとなる。従って、ランドセル１を背負った子供の長い髪の毛が、背環１２に垂れ下がっているとしても、揺動板１４と中央壁１３４との間に形成された隙間に入り込むこととなって挟まれない。
【００２６】
図３〜７は、揺動板１４と中央壁１３４との間で隙間を形成するための揺動板１４を傾斜させる構成（ストッパ手段）の第２の形態を示すものである。図３は、背環１２を、子供の背中側からランドセル１の背あて部１１側（表面側）に向かって見た正面図であり、図４〜５は、背環１２を、ランドセル本体１０側（裏面側）から子供の背中側に向かって見た内部構造を示すものである。なお、第２の形態のストッパ手段は、背環１２の中央壁１３４に装着するものであり、それ以外の背環１２の構成は図２と同様である。そのため、背環１２の同一部位の符号は、図２（第１の形態）の符号と同一とする。また、この背環１２の構成においても、図４における左半分の構成について説明するものとし、右半分は、その対称形とする。
【００２７】
図４〜５に示すように、中央壁１３４には、中央の中空部１３３から一対の揺動板１４が挿入される中空部１３５に向かって貫通するネジ部材支持孔１３４ａが形成されている。ネジ部材支持孔１３４ａには、揺動板１４の位置を調整する調整ネジ部材２１が挿通される。調整ネジ部材２１には外周面の一部に雄ネジ部２１１が形成され、回転操作板（回転板）２２に螺合可能とされている。
【００２８】
一方、回転操作板２２は、軸方向に沿って長い小径のボス部２２１と狭幅で大径の操作板部２２２とを有して段付き円筒状に形成されている。ボス部２２１は、背環本体１３から中空部１３３内に向かって一体的に形成される支持部２３に嵌合支持されるとともに、操作板部２２２の外周面は、手で操作しやすいようにローレット加工が施されている。回転操作板２２の内周面は雌ネジ２２３が形成され、調整ネジ部材２１の雄ねじ部２１１と螺合する。
【００２９】
中空部１３３に形成される支持部２３は、一対の回転操作板２２のボス部２２１が左右両側から嵌合する支持孔２３１が貫通して形成されている。勿論、支持部２３が、左右それぞれ調整ネジ部材２２を挿入するために、分離して形成するものであってもよい。
【００３０】
また、図６に示すように、背環本体１３は、ランドセル１の表面側（子供の背中側）に配置する表面部１３ａと裏面側（背あて部１１側）に配置する裏面部１３ｂとを一体的に結合することによって形成されている。回転操作板２２の操作板部２２２が中空部１３３内に挿入されるために、表面部１３ａと裏面部１３ｂには、表面部１３ａから裏面部１３ｂに向かって貫通する断面矩形状の矩形孔部１３７（図６〜７参照）が形成されている。
【００３１】
調整ネジ部材２１は、軸心が表面部１３ａ側に偏って配置され、回転操作板２２の操作板部２２２は、表面部１３ａ側においては、表面部１３ａから外方に突出し、裏面部１３ｂ側には突出しない位置に配置されている。そのため、図３に示すように、背環１２の表面部１３側から操作板部２２２を回転させることによって、調整ネジ部材２１との間で回転させることができる。
【００３２】
また、図７に示すように、調整ネジ部材２１は、中央壁１３４のネジ部材支持孔１３４ａに挿入されるとともに、調整ネジ部材２１の軸心と直交する方向に中央壁１３４とともにピン２６で貫通されている。調整ネジ部材２１を貫通するピン２６は、背環本体１３の表面部１３ａと裏面部１３ｂに水平方向に延設して形成される長孔１３ｃ、１３ｄに沿って移動可能に配置される。従って、調整ネジ部材２１は、回転操作板２２で回転操作されても、ピン２６によって回転が規制されていることから、軸方向に沿って移動することとなる。
【００３３】
一方、図５に示すように、中央壁１３４の下部には中空部１３３と中空部１３５とをつなぐ開口部１３８が形成され、開口部１３８に押圧板２５の下端部が軸支されている。押圧板２５は、上下方向に長い長尺板状に形成され、上部が、揺動板１４の側面と調整ネジ部材２１の先端部との間に配置され、揺動板１４側と調整ネジ部材２１側に揺動可能に、開口部１３８に配置する軸部１３９によって支持されている。また、揺動可能な押圧板２５の上部は、所定の角度範囲において、揺動板１４の側面に面接触できるように、弾性状に形成されていればよい。
【００３４】
次に第２の形態のストッパ手段を用いたランドセル１の作用について説明する。まず、子供の髪の毛を、揺動板１４と中央壁１３４との間で挟まないようにするために、調整ネジ部材２１を移動させて揺動板１４の傾斜角度を調整する。
【００３５】
つまり、図６に示すように背環本体１３の表面部１３ａ側に回転操作板２２の操作板部２２２が突出していることから、子供がランドセル１を背負う前に操作板部２２２を回転操作する。操作板部２２２を回転操作すると、押圧板２５を、図５に示すように、操作板部２２２は調整ネジ部材２１との間で回転することから、回転方向にピン２６で規制され軸方向に移動自在な調整ネジ部材２１が、中央壁１３４から中空部１３５に向かって突出する方向に移動することとなる。調整ネジ部材２１が突出すると、調整ネジ部材２１の先端部が押圧板２５を押圧して、図５における反時計方向に回転させることになり、押圧板２５に押圧された揺動板１４が軸１８を中心に反時計方向に回転する。揺動板１４が所定の傾斜角度に設定されると、操作板部２２２の操作を停止する。
【００３６】
この状態で、子供がランドセル１を背負うと、成長した子供であれば、揺動板１４をさらに傾斜させることから、調整ネジ部材２１の先端部との間に隙間を有することとなる。実際には、押圧板２５が揺動板１４とともに回転することから、押圧板２５と調整ネジ部材２１の先端部との間で隙間が形成されることとなる。子供がランドセル１を背負っている状態では、子供の髪の毛は背環１２のいずれの部位においても挟まれることはない。
【００３７】
子供が、背負っているランドセルを外すと、揺動板１４が、スプリング１９の付勢力で、押圧板２５とともに、図５における時計方向に回転して押圧板２５を調整ネジ部材２１の先端部に当接させる。この際、押圧板２５と中央壁１３４との間には適度な隙間が形成されていることから、子供の髪の毛が垂れ下がっていても、髪の毛が挟まれることはない。
【００３８】
図８は、第３のストッパ手段を示すものであり、中央壁１３４にコイルばね３２の一端を掛止しておく。コイルばね３２の他端は揺動板１４の側部端面あるいは図５における押圧板２５に当接させる。この場合、髪の毛を挟みにくいようにするため、コイルばね３２の他端をできるだけ中央壁１３４より離れた位置にするか、コイルばね３２を中央壁の下部に配置する。そして、コイルばね３２の付勢力は、スプリング１９の付勢力より強く設定する。なお、ストッパ手段としてコイルばね３２を使用する場合、コイルばね３２を単体で使用してもよく、また、コイルばね３２を含めて構成してもよい。
【００３９】
これによっても、コイルばね３２が第１の形態のストッパ手段と同様、揺動板１４と中央壁１３４との間で隙間を形成することができることから、子供の髪の毛を挟みにくくすることができる。
【００４０】
なお、ストッパ手段は、自然状態で揺動板１４を傾斜させて、揺動板１４と中央壁１３４との間に隙間を形成できるようにすれば、上記の形態以外の形態でも適用できるものである。
【００４１】
上述のように、実施形態のランドセル１によれば、背環１２には、背環本体部１３の中央壁１３４に揺動板１４を自然状態で傾斜するようにして、揺動板１４と中央壁１３４との間に予め隙間を形成していることから、子供が背負っているランドセル１を外しても、髪の毛を揺動板１４と中央壁１３４との間で挟むことはない。そのため子供に痛い目をあわさずに済むこととなる。
【図面の簡単な説明】
【００４２】
【図１】本考案による一形態のランドセルを示す斜視図である。
【図２】図１におけるランドセルの背環に、第１のストッパ手段を用いて構成する状態を示す背面部分断面図である。
【図３】図１におけるランドセルの背環に、第２のストッパ手段を用いて構成する状態を示す正面図である。
【図４】図３における背面から見た部分断面図である。
【図５】図４における要部拡大断面図である。
【図６】図４におけるVI−VI断面図である。
【図７】図４におけるVII−VII断面図である。
【図８】図１におけるランドセルの背環に、第３のストッパ手段を用いて構成する状態を示す背面部分断面図である。
【図９】従来のランドセルの背環を示す背面図である。
【符号の説明】
【００４３】
１、ランドセル
５、肩ベルト
１０、ランドセル本体
１１、背あて部
１２、背環
１３、背環本体
１３４、中央壁
１３６、突出部（ストッパ手段）
１４、揺動板
１５、連結杆
１９、スプリング
２１、調整ネジ部材
２２、回転操作板
３２、コイルばね
【図１】
0003107268.tif 000003
【図２】
0003107268.tif 000004
【図３】
0003107268.tif 000005
【図４】
0003107268.tif 000006
【図５】
0003107268.tif 000007
【図６】
0003107268.tif 000008
【図７】
0003107268.tif 000009
【図８】
0003107268.tif 000010
【図９】
0003107268.tif 000011